【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
複数の色成分を含む画像データに対して、
前記画像データに含まれる複数の色成分のうちの一の色成分についての統計値に対応する第１の値が、前記複数の色成分についての統計値に対応する第２の値よりも大きい場合には、前記一の色成分の出力レベルを下げる画像処理を行い、
前記第１の値が前記第２の値よりも小さい場合には、前記出力レベルを上げる画像処理を行う
ことを特徴とする画像処理装置。
【請求項２】
複数の色成分を含む画像データに対して、
前記画像データに含まれる複数の色成分のうちの一の色成分についての統計値に対応する第１の値が、前記複数の色成分についての統計値に対応する第２の値よりも大きい場合には、前記一の色成分の出力レベルを下げる画像処理を行う
ことを特徴とする画像処理装置。
【請求項３】
複数の色成分を含む画像データに対して、
前記画像データに含まれる複数の色成分のうちの一の色成分についての統計値に対応する第１の値が、前記複数の色成分についての統計値に対応する第２の値よりも小さい場合には、前記一の色成分の出力レベルを上げる画像処理を行う
ことを特徴とする画像処理装置。
【請求項４】
前記出力レベルを下げる画像処理は、前記画像データに含まれる画素データにおいて、前記画素データに含まれる複数の色成分のうちの一の色成分の成分値について、前記成分値よりも小さい値を出力する処理であることを特徴とする請求項１または２に記載の画像処理装置。
【請求項５】
前記出力レベルを上げる画像処理は、前記画像データに含まれる画素データにおいて、前記画素データに含まれる複数の色成分のうちの一の色成分の成分値について、前記成分値よりも大きい値を出力する処理であることを特徴とする請求項１または３に記載の画像処理装置。
【請求項６】
前記色成分の統計値は、前記色成分の成分値の分布に対応することを特徴とする請求項１から５のいずれか一項に記載の画像処理装置。
【請求項７】
前記色成分の統計値は、前記色成分の成分値の出現数に対応することを特徴とする請求項１から５のいずれか一項に記載の画像処理装置。
【請求項８】
前記色成分の統計値は、前記色成分の成分値の出現頻度に対応することを特徴とする請求項１から５のいずれか一項に記載の画像処理装置。
【請求項９】
前記出力レベルの調整は、前記一の色成分の色表現範囲の３／４の成分値に対して行われることを特徴とする請求項１から８のいずれか一項に記載の画像処理装置。
【請求項１０】
前記一の色成分の色表現範囲を０〜２５５の範囲とした場合、前記出力レベルの調整は、前記一の色成分の成分値が１９２である画素データに対して行われることを特徴とする請求項１から８のいずれか一項に記載の画像処理装置。
【請求項１１】
前記複数の色成分は、赤を表す色成分と緑を表す色成分と青を表す色成分とを含むことを特徴とする請求項１から１０のいずれか一項に記載の画像処理装置。
【請求項１２】
前記画像データを含む画像ファイルに含まれるホワイトバランス情報がオートホワイトバランスを示す情報でない場合には、前記ホワイトバランス情報がオートホワイトバランスを示す情報である場合よりも、前記出力レベルの調整の量を少なくすることを特徴とする請求項１から１１のいずれか一項に記載の画像処理装置。
【請求項１３】
前記第１の値は、前記画像データに含まれる複数の色成分のうちの一の色成分についての成分値の分布の平均値であることを特徴とする請求項１から１２のいずれか一項に記載の画像処理装置。
【請求項１４】
前記第２の値は、前記画像データに含まれる前記複数の色成分の成分値の分布の平均値であることを特徴とする請求項１から１３のいずれか一項に記載の画像処理装置。
【請求項１５】
複数の色成分を含む画像データに対して、前記画像データに含まれる複数の色成分のうちの一の色成分についての統計値に対応する第１の値が、前記複数の色成分についての統計値に対応する第２の値よりも大きい場合には、前記一の色成分の出力レベルを下げる画像処理を行い、前記第１の値が前記第２の値よりも小さい場合には、前記出力レベルを上げる画像処理を行う画像処理手段を備えることを特徴とする画像処理装置。
【請求項１６】
複数の色成分を含む画像データに対して、前記画像データに含まれる複数の色成分のうちの一の色成分についての統計値に対応する第１の値が、前記複数の色成分についての統計値に対応する第２の値よりも大きい場合には、前記一の色成分の出力レベルを下げる画像処理を行う画像処理手段を備えることを特徴とする画像処理装置。
【請求項１７】
複数の色成分を含む画像データに対して、前記画像データに含まれる複数の色成分のうちの一の色成分についての統計値に対応する第１の値が、前記複数の色成分についての統計値に対応する第２の値よりも小さい場合には、前記一の色成分の出力レベルを上げる画像処理を行う画像処理手段を備えることを特徴とする画像処理装置。
【請求項１８】
複数の色成分を含む画像データに対して、
前記画像データに含まれる複数の色成分のうちの一の色成分についての統計値に対応する第１の値が、前記複数の色成分についての統計値に対応する第２の値よりも大きい場合には、前記一の色成分の出力レベルを下げる画像処理を行い、
前記第１の値が前記第２の値よりも小さい場合には、前記出力レベルを上げる画像処理を行う
ことを特徴とする画像処理方法。
【請求項１９】
複数の色成分を含む画像データに対して、
前記画像データに含まれる複数の色成分のうちの一の色成分についての統計値に対応する第１の値が、前記複数の色成分についての統計値に対応する第２の値よりも大きい場合には、前記一の色成分の出力レベルを下げる画像処理を行う
ことを特徴とする画像処理方法。
【請求項２０】
複数の色成分を含む画像データに対して、
前記画像データに含まれる複数の色成分のうちの一の色成分についての統計値に対応する第１の値が、前記複数の色成分についての統計値に対応する第２の値よりも小さい場合には、前記一の色成分の出力レベルを上げる画像処理を行う
ことを特徴とする画像処理方法。
【請求項２１】
コンピュータに、
複数の色成分を含む画像データに対して、
前記画像データに含まれる複数の色成分のうちの一の色成分についての統計値に対応する第１の値が、前記複数の色成分についての統計値に対応する第２の値よりも大きい場合には、前記一の色成分の出力レベルを下げる画像処理機能を実現させ、
前記第１の値が前記第２の値よりも小さい場合には、前記出力レベルを上げる画像処理機能を実現させる
ことを特徴とする画像処理プログラム。
【請求項２２】
コンピュータに、
複数の色成分を含む画像データに対して、
前記画像データに含まれる複数の色成分のうちの一の色成分についての統計値に対応する第１の値が、前記複数の色成分についての統計値に対応する第２の値よりも大きい場合には、前記一の色成分の出力レベルを下げる画像処理機能を実現させる
ことを特徴とする画像処理プログラム。
【請求項２３】
コンピュータに、
複数の色成分を含む画像データに対して、
前記画像データに含まれる複数の色成分のうちの一の色成分についての統計値に対応する第１の値が、前記複数の色成分についての統計値に対応する第２の値よりも小さい場合には、前記一の色成分の出力レベルを上げる画像処理機能を実現させる
ことを特徴とする画像処理プログラム。